(57)【特許請求の範囲】
【請求項１】
前部に操作・表示部を設け、後部に端子台を設けて機器本体を構成し、前記機器本体を制御パネルに設けられたパネルカットに挿入した状態で、前記制御パネルに取付けられるように構成し、且つ、前記機器本体の後部に設けた前記端子台を覆うカバーを備えてなるパネル取付用電子機器であって、
前記端子カバーの外形寸法を前記パネルカットに対応した前記機器本体の外形寸法に同じかもしくは小さくしており、
且つ、前記端子カバーの一方の端部の両側に一方のカバー側係合部を設けると共に、他方の端部に他方のカバー側係合部を設け、又、前記機器本体の前記端子台の一方に端部の両側に一方の本体側係合部を設けると共に、他方の端部の両側に他方の本体側係合部を設けて、前記端子カバーにおける前記端子台に対する枢支部を構成しており、
前記枢支部が、前記一方のカバー側係合部を前記一方の本体側係合部にそれぞれ回転可能に且つ着脱可能に係合されて構成されると共に、前記他方のカバー側係合部を前記他方の本体側係合部にそれぞれ回転可能に且つ着脱可能に係合させて構成され、
さらに、前記枢支部は、前記一方のカバー側係合部を、内側から前記一方の本体側係合部にそれぞれ回転可能にかつ着脱可能に係合させて構成されると共に、前記他方のカバー側係合部を、内側から前記他方の本体側係合部にそれぞれ回転可能に且つ着脱可能に係合させて構成したことを特徴とするパネル取付用電子機器。
【請求項２】
前記一方及び他方のカバー側係合部が、前記端子カバーに設けた支承用突起であり、前記一方及び他方の本体側係合部が、前記端子台に設けられ且つ前記支承用突起が回転可能に且つ着脱可能に係合する支承用孔部である請求項１に記載のパネル取付用電子機器。
【請求項３】
前記端子カバーに、この端子カバーを前記端子台に取付けた際に、前記端子台に接続されたコードを押えるコード押え部を設けた請求項１又は請求項２に記載のパネル取付用電子機器。
【発明の詳細な説明】
【０００１】
【発明の属する技術分野】
本発明は、制御盤等に装着されるタイマ、温度調節器等のパネル取付用電子機器に関するものである。
【０００２】
【従来の技術】
パネル取付用電子機器としてのタイマ３０の場合、図１０に示すように、その機器本体３０Ａの前面部には操作・表示部３８が設けてある。また、その機器本体３０Ａの後面部には端子台３１が設けてある。そして、この端子台３１には、図１１に示す端子カバー３２が着脱可能に装着してある。
【０００３】
すなわち、端子カバー３２は、そのカバー本体３２Ａの両側の上下に片部３３を有しており、この端子カバー３２を、その片部３３を外にして端子台３１に被せて、図１２に示すように端子カバー３２が機器本体３０Ａの後面部に取付けてある。
【０００４】
この場合、端子カバー３２の外形寸法は、機器本体３０Ａの外形寸法より大きくなっており、パネルカット３７の寸法より大きくなっている。
【０００５】
そして、タイマ３０は制御盤の制御パネル３６に取付けられるものである。すなわち、この制御パネル３６にはタイマ３０を取付けるための四角形状のパネルカット３７が形成してある。そして、このパネルカット３７の寸法は、タイマ３０の機器本体３０Ａの外形寸法よりやや大きくしてある。
【０００６】
そして、端子カバー３２が装着されていないタイマ３０を、その機器本体３０Ａの後端部側から制御パネル３６のパネルカット３７に挿入して、操作・表示部３８の周部３８Ａの後面部のストッパ面部３９を制御パネル３６に当接させて、例えばタイマ３０の機器本体３０Ａに押え部材（図示せず）を装着して、この押え部材と操作・表示部３８の周部３８Ａとで制御パネル３６を挟み込むようにして、タイマ３０を制御パネル３６に取付け、その後に、端子カバー３２を機器本体３０Ａの後面部に取付けることで、タイマ３０が制御パネル３６に取付けてある。
【０００７】
【発明が解決しようとする課題】
しかしながら、上記した従来のタイマ（パネル取付用電子機器）３０にあっては、端子カバー３２の外形寸法がパネルカット３７に対応する機器本体３０Ａの外形寸法より大きいために、制御パネル３６にタイマ３０を取付ける場合、端子カバー３２をタイマ３０の機器本体３０Ａから一度外し、タイマ３０を制御パネル３６に装着した状態で再び端子カバー３２を機器本体３０Ａに取付ける必要があり、その組立が容易でないという問題点があったし、また、タイマ３０の端子台３１に配線を施す場合に、端子カバー３２を機器本体３０Ａから完全に外すために、この端子カバー３２が紛失するという問題点があった。
【０００８】
本発明は、上記の問題点に着目して成されたものであって、その目的とするところは、端子台に端子カバーを装着した状態の機器本体を、この端子カバー側から制御パネルのパネルカットに挿入して制御パネルに取付けることができて、その組立が容易になる端子カバー構造を備えたパネル取付用電子機器を提供することにある。
【０００９】
【課題を解決するための手段】
上記の目的を達成するために、本発明に係るパネル取付用電子機器は、前部に操作・表示部を設け、後部に端子台を設けて機器本体を構成し、機器本体を制御パネルに設けられたパネルカットに挿入した状態で、制御パネルに取付けられるように構成し、且つ、機器本体の後部に設けた端子台を覆うカバーを備えてなるパネル取付用電子機器であって、端子カバーの外形寸法をパネルカットに対応した機器本体の外形寸法に同じかもしくは小さくしており、且つ、端子カバーの一方の端部の両側に一方のカバー側係合部を設けると共に、他方の端部に他方のカバー側係合部を設け、又、機器本体の端子台の一方に端部の両側に一方の本体側係合部を設けると共に、他方の端部の両側に他方の本体側係合部を設けて、端子カバーにおける端子台に対する枢支部を構成しており、枢支部が、一方のカバー側係合部を一方の本体側係合部にそれぞれ回転可能に且つ着脱可能に係合されて構成されると共に、他方のカバー側係合部を他方の本体側係合部にそれぞれ回転可能に且つ着脱可能に係合させて構成され、さらに、枢支部は、一方のカバー側係合部を、内側から一方の本体側係合部にそれぞれ回転可能にかつ着脱可能に係合させて構成されると共に、他方のカバー側係合部を、内側から他方の本体側係合部にそれぞれ回転可能に且つ着脱可能に係合させて構成した。
【００１０】
パネル取付用電子機器とは、例えば制御盤の制御パネルに装着されるタイマ、温度調節器等の電子機器であり、パネルカットとは、制御パネルに形成された電子機器取付用の開口であり、端子カバーとは、機器本体の端部の端子台を覆うフィンガープロテクタである。
【００１１】
かかる構成により、端子台に端子カバーを装着した状態のパネル取付用電子機器を、この端子カバー側から制御パネルのパネルカットに挿入して、パネル取付用電子機器を制御パネルに取付けることができる。
【００１２】
このように、パネル取付用電子機器を制御パネルに取付ける場合に、端子カバーを一旦外す必要がなくなり、パネル取付用電子機器の制御パネルへの取付けが容易になる。
【００１４】
枢支部は、端子カバーに設けた支承用突起と、端子台に設けられ且つ支承用突起が回転可能に且つ着脱可能に係合する支承用孔部とで構成される。
【００１５】
また、かかる構成により、端子カバーが枢支部を支点にして開閉でき、完全に機器本体の端子台から端子カバーを外さずに配線できるために、この端子カバーが紛失することがなくなる。また、端子カバーが付いた状態で端子台への配線が困難な場合には機器本体から端子カバーを完全に外して配線することができる。
【００１９】
また、かかる構成により、端子台に配線する場合、端子カバーを、その一方のカバー側係合部と本体側係合部との係合部（支承用突起）で構成される枢支部を支点にして開くか、または、端子カバーを、その他方のカバー側係合部と本体側係合部との係合部（支承用突起）で構成される枢支部を支点にして開くかして行うことができる。
【００２０】
このように、端子カバーを開閉でき、完全に機器本体から端子カバーを外さずに配線できるために、この端子カバーが紛失することがなくなる。また、端子カバーが付いた状態で端子台への配線が困難な場合には機器本体から端子カバーを完全に外して配線することができる。
【００２１】
また、本発明に係るパネル取付用電子機器は、上記したパネル取付用電子機器において、端子カバーに、この端子カバーを端子台に取付けた際に、端子台に接続されたコードを押えるコード押え部を設けた。
【００２２】
かかる構成により、端子カバーを開いた状態で端子台に配線を施し、端子カバーを閉じて端子カバーで端子台を覆うことで、端子カバーに設けたコード押え部が配線のコードを押えて、コードが妄りに動くことを規制することができる。
【００２３】
【発明の実施の形態】
以下、本発明の実施の形態を図面に基づいて説明する。
【００２４】
図１は本発明に係るパネル取付用電子機器の正面側からの斜視図、図２は同パネル取付用電子機器の後面側からの斜視図、図３は同パネル取付用電子機器において端子カバーを下側に開いた状態の斜視図、図４は同パネル取付用電子機器において端子カバーを上側に開いた状態の斜視図、図５の（１）は端子カバーの裏側からの斜視図、図５の（２）は支承用突起の斜視図である。なお、説明の便宜上、図面において前後、左右及び上下を図示のように設定する。
【００２５】
パネル取付用電子機器としてのタイマのような電子機器Ａは機器本体１と端子カバー５とを備えており、この機器本体１は、ケース２にタイマ機能を保有する電子部品を搭載した基板（いずれも図示せず）等を内蔵し、且つ前部に操作・表示部４を設け、その後部に端子台３を設けて構成してある。そして、端子台３には端子カバー５が着脱可能に且つ開閉可能に取付けてある。
【００２６】
ケース２の後面部は端子台３の一部を構成している。すなわち、後面部には、図３に示すように上下２段にわたって端子台部６、７と、端子台部６、７に挟まれたアダプタ取付部１８とが形成してある。
【００２７】
上段の端子台部６は、複数の端子取付部８を左右方向に並べて構成してあり、これらの端子取付部８は、左右方向に沿う隔壁部９と複数の仕切り部１０とにより区画されている。そして、端子取付部８には、図９に示すように電子部品を搭載した基板に接続される端子部１１Ａと、この端子部１１Ａに螺装された端子ねじ１１Ｂとが設けてある。
【００２８】
そして、上段の端子台部６の仕切り部１０のうち、両端（左、右端）に位置する仕切り部１０Ａ、１０Ｂは、ケース２の左、右側面部２Ｃ、２Ｄとほぼ同一平面内に位置させてあり、また、上段の端子台部６の複数の仕切り部１０の上縁部１０ａはケース２の上面部２Ｅとほぼ同一平面内に位置させてある。
【００２９】
そして、上段の端子台部６の両端（左、右端）の仕切り部１０Ａ、１０Ｂは、その角部１０ｂに寄せて一方の本体側係合部である上側支承孔部１２が設けてある。
【００３０】
また、下段の端子台部７は、上記した上段の端子台部６を逆（下向き）にした構成であり、複数の端子取付部８−１が、左右方向に沿う隔壁部９−１と複数の仕切り部１０−１とにより区画されていて、端子取付部８−１には、電子部品を搭載した基板に接続される端子部１１Ａと、この端子部１１Ａに螺装された端子ねじ１１Ｂとが設けてある。
【００３１】
そして、下段の端子台部７の仕切り部１０−１にうち、両端（左、右端）に位置する仕切り部１０Ａ−１、１０Ｂ−１は、ケース２の左、右側面部２Ｃ、２Ｄとほぼ同一平面内に位置させてあり、また、下段の端子台部７の複数の仕切り部１０−１の上縁部１０ａ−１はケース２の下面部２Ｆとほぼ同一平面内に位置させてある。
【００３２】
そして、下段の端子台部７の両端（左、右端）の仕切り部１０Ａ−１、１０Ｂ−１には、その角部１０ｂ−１に寄せて他方の本体側係合部である下側支承孔部１２−１が設けてある。
【００３３】
端子カバー５は、図５の（１）に示すようにケース２の四角形状の後面部の大きさ、すなわち後述するパネルカットに対応する機器本体１の外形寸法（四角形状）よりやや小さい四角形状で板状のカバー本体５Ａを有しており、このカバー本体５Ａの面部には、複数の工具挿入用孔部１３が上下及び中間の３段にわたって形成してある。
【００３４】
また、カバー本体５Ａの裏面部５ａには、その上、下縁部５ｂ、５ｃに近付けて凸条からなるコード押え部１４、１４−１が所定の間隔をおいて一直線状に形成してあり、また、裏面部５ａの中央に位置させてコード押え部１４−２が形成してある。
【００３５】
そして、カバー本体５Ａの左、右側縁部５ｄ、５ｅの上部には、裏面部５ａに対して直角に上側取付片部１５、１６が形成してあり、これらの上側取付片部１５、１６のそれぞれの外面には一方のカバー側係合部である上側支承用突起１７が設けてある。また、カバー本体５Ａの左、右側縁部５ｄ、５ｅの下部には、裏面部５ａに対して直角に下側取付片部１５−１、１６−１が形成してあり、これらの下側取付片部１５−１、１６−１のそれぞれの外面には他方のカバー側係合部である下側支承用突起１７−１が設けてある。
【００３６】
そして、端子カバー５は、その上側支承用突起１７を上段の端子台部６の両端の仕切り部１０Ａ、１０Ｂの上側支承孔部１２にそれぞれ回転可能に且つ着脱可能に係合させ、また、その下側支承用突起１７−１を下段の端子台部７の両端の仕切り部１０Ａ、１０Ｂの下側支承孔部１２−１にそれぞれ回転可能に且つ着脱可能に係合させて、機器本体１の端子台３に開閉可能に取付けてある。そして、上側支承用突起１７と上側支承孔部１２とで上側の枢支部を、下側支承用突起１７−１と下側支承孔部１２−１とで下側の枢支部をそれぞれ構成している。
【００３７】
この場合、端子カバー５に設けたコード押え部１４、１４−１は、端子取付部８、８−１の仕切り部１０Ａ、１０Ｂ、１０Ａ−１、１０Ｂ−１間に、コード押え部１４−２はアダプタ取付部１８にそれぞれ位置するようになり、端子カバー５に設けた上、下段の複数の工具挿入用孔部１３は、端子取付部８、８−１に対向し、端子カバー５に設けた中段の複数の工具挿入用孔部１３は、アダプタ取付部１８に対向するようになる。
【００３８】
そして、機器本体１の前部には操作・表示部４が設けてあるが、この操作・表示部４の周部４Ａは機器本体１のケース２より大きくしてあって、すなわちパネルカット寸法より大きくしてあって、この周部４Ａの後面部がストッパ面部１９になっている。
【００３９】
上記のように構成された電子機器Ａは、図６乃至図９に示すように制御盤２０に装着してある。
【００４０】
すなわち、制御盤２０は、ボックス２１に横開きが可能になるように制御パネル２２がヒンジ（図示せず）を介して取付けてある。そして、この制御パネル２２には電子機器Ａを取付けるための四角形状のパネルカット２３が形成してある。そして、このパネルカット２３の寸法（高さＨ×幅Ｂ）は、電子機器Ａの機器本体１のケース２の寸法、すなわちパネルカット２３に対応する機器本体１の外形寸法（高さｈ×幅ｂ）よりやや大きくしてある。
【００４１】
そして、端子台３に端子カバー５を装着した状態の電子機器Ａを、この端子カバー５側から制御パネル２２のパネルカット２３に挿入して、操作・表示部４の周部４Ａの後面部のストッパ面部１９を制御パネル２２に当接させて、例えば電子機器Ａの機器本体１に押え部材（図示せず）を装着して、この押え部材と操作・表示部４の周部４Ａとで制御パネル２２を挟み込むようにして、電子機器Ａが制御パネル２２に取付けてある。
【００４２】
そして、端子台３の各端子取付部８、８−１の端子部１１Ａにはコード（配線）２４が接続される。このコード２４の接続は、図３に示すように端子カバー５を、その下側支承用突起１７−１を支点にして下方に開くか、または、図４に示すように端子カバー５を、その上側支承用突起１７を支点にして上方に開くかして行われる。
【００４３】
すなわち、端子カバー５を下方に開く場合には、左右の上側支承用突起１７を上側支承孔部１２から外して、下側支承用突起１７−１を支点にして下方に開く。また、端子カバー５を上方に開く場合には、左右の下側支承用突起１７−１を下側支承孔部１２−１から外して、上側支承用突起１７を支点にして上方に開く。
【００４４】
そして、端子台３の各端子取付部８、８−１の端子部１１Ａに螺装された端子ねじ１１Ｂでコード２４の端末の接続金具（図示せず）を締め付けて、コード２４が各端子取付部８、８−１に取付けられる。
【００４５】
そして、端子カバー５を下方に開いた状態から、または端子カバー５を上方に開いた状態から端子カバー５を閉じて、左右の上側支承用突起１７を上側支承孔部１２に係合するか、または左右の下側支承用突起１７−１を下側支承孔部１２−１に係合して、端子カバー５で端子台３を覆う。
【００４６】
この場合、端子カバー５に設けたコード押え部１４、１４−１がコード２４を押えて、コード２４が妄りに動くことを規制する。
【００４７】
また、端子カバー５が付いた状態で端子台３への配線が困難な場合には機器本体１から端子カバー５を完全に外して配線する。
【００４８】
上記したように、本実施の形態によれば、機器本体１の端部の端子台３を覆う端子カバー５の外形寸法を、パネルカット２３に対応する機器本体１の外形寸法より小さくしてあるために、端子台３に端子カバー５を装着した状態の電子機器Ａを、この端子カバー５側から制御パネル２２のパネルカット２３に挿入して、電子機器Ａを制御パネル２２に取付けることができる。
【００４９】
このように、電子機器Ａを制御パネル２２に取付ける場合に、端子カバー５を一旦外す必要がなくなり、電子機器Ａの制御パネル２２への取付けが容易になる。
【００５０】
また、本実施の形態によれば、端子カバー５の上端部の両側に上側支承用突起１７を設けると共に、下端部の両側に下側支承用突起１７−１を設け、機器本体１の端子台３の上端部の両側に上側支承用孔部１２を設けると共に、下端部の両側に下側支承用孔部１２−１を設け、上側支承用突起１７を上側支承用孔部１２にそれぞれ回転可能に且つ着脱可能に係合させ、下側支承用突起１７−１を下側支承用孔部１２−１にそれぞれ回転可能に且つ着脱可能に係合させて、端子カバー５を端子台３に取付けるようにしたことにより、端子台３に配線する場合、端子カバー５を、その上側支承用突起１７を支点にして開くか、または、端子カバー５を、その下側支承用突起１７−１を支点にして開くかして行うことができる。
【００５１】
このように、端子カバー５が開閉でき、完全に機器本体１から端子カバー５を外さずに配線できるために、この端子カバー５が紛失することがなくなる。また、端子カバー５が付いた状態で端子台３への配線が困難な場合には機器本体１から端子カバー５を完全に外して配線することができる。
【００５２】
また、本実施の形態によれば、端子カバー５を開いた状態で端子台３に配線を施し、端子カバー５を閉じて端子カバー５で端子台３を覆うことで、端子カバー５に設けたコード押え部１４、１４−１がコード２４を押えて、コード２４が妄りに動くことを規制することができる。
【００５３】
なお、上記した本実施の形態では、機器本体１の端部の端子台３を覆う端子カバー５の外形寸法をパネルカット２３に対応する機器本体１の外形寸法より小さくしたが、パネルカット２３に端子カバー５が挿入できる同じ寸法にしてもよい。
【００５４】
【発明の効果】
以上説明したように、本発明に係るパネル取付用電子機器によれば、端子台に端子カバーを装着した状態のパネル取付用電子機器を、この端子カバー側から制御パネルのパネルカットに挿入して、パネル取付用電子機器を制御パネルに取付けることができて、パネル取付用電子機器を制御パネルに取付ける場合に、端子カバーを一旦外す必要がなくなり、パネル取付用電子機器の制御パネルへの取付けが容易になる。
【図面の簡単な説明】
【図１】  本発明に係るパネル取付用電子機器の正面側からの斜視図である。
【図２】  同パネル取付用電子機器の後面側からの斜視図である。
【図３】  同パネル取付用電子機器において端子カバーを下側に開いた状態の斜視図である。
【図４】  同パネル取付用電子機器において端子カバーを上側に開いた状態の斜視図である。
【図５】  （１）は端子カバーの裏側からの斜視図である。
（２）は支承用突起の斜視図である。
【図６】  制御盤の斜視図である。
【図７】  同制御盤における制御パネルの裏面部における機器搭載の説明図である。
【図８】  同制御パネルのパネルカットの説明図である。
【図９】  同制御パネルにパネル取付用電子機器を取付けた状態の側面図である。
【図１０】  従来のパネル取付用電子機器（タイマ）の後面側からの斜視図である。
【図１１】  従来の端子カバーの斜視図である。
【図１２】  従来のパネル取付用電子機器（タイマ）の後面に端子カバーを取付けた状態の斜視図である。
【図１３】  制御パネルに従来のパネル取付用電子機器を取付けた状態の側面図である。
【符号の説明】
Ａ          電子機器（パネル取付用電子機器）
１          機器本体
２          ケース
３          端子台
４          操作・表示部
５          端子カバー
５Ａ        カバー本体
６          端子台部
７          端子台部
８          端子取付部
９          隔壁部
１０        仕切り部
１０Ａ      仕切り部
１０Ｂ      仕切り部
１０ｂ      角部
８−１      端子取付部
９−１      隔壁部
１０−１    仕切り部
１０Ａ−１  仕切り部
１０Ｂ−１  仕切り部
１０ｂ−１  角部
１１Ａ      端子部
１１Ｂ      端子ねじ
１２        上側支承孔部（一方の本体側係合部）（枢支部）
１２−１    下側支承孔部（他方の本体側係合部）（枢支部）
１３        工具挿入用孔部
１４        コード押え部
１４−１    コード押え部
１４−２    コード押え部
１５        上側取付片部
１６        上側取付片部
１５−１    下側取付片部
１６−１    下側取付片部
１７        上側支承用突起（一方のカバー側係合部）（枢支部）
１７−１    下側支承用突起（他方のカバー側係合部）（枢支部）
１８        アダプタ取付部
１９        ストッパ面部
２０        制御盤
２１        ボックス
２２        制御パネル
２３        パネルカット
２４        コード（配線）
【図１】
0004045753.tif 000002
【図２】
0004045753.tif 000003
【図３】
0004045753.tif 000004
【図４】
0004045753.tif 000005
【図５】
0004045753.tif 000006
【図６】
0004045753.tif 000007
【図７】
0004045753.tif 000008
【図８】
0004045753.tif 000009
【図９】
0004045753.tif 000010
【図１０】
0004045753.tif 000011
【図１１】
0004045753.tif 000012
【図１２】
0004045753.tif 000013
【図１３】
0004045753.tif 000014